(57)【要約】【課題】  本発明は、本発明用に発明された飲料用ボトルに簡単で、安全で、衛生的で、ワンタッチで開閉できる、飲料ボトル用落下防止付きワンタッチ開閉キャップを提供する。【解決手段】  飲料用ボトル本体の円筒形飲み口部外周に凸部を数段設ける。そこに固定部と開栓部をヒンジで繋がれ、内部に密封性保持部およびロック性能を保有したプラスチック製キャップを装着したことを特徴にする飲料ボトル用落下防止付きワンタッチ開閉キャップ。【選択図】図８
2011057284.tif 000002
【特許請求の範囲】
【請求項１】
飲料用ボトル本体の円筒形飲み口部外周に凸部を数段設け、そこに固定部と開栓部をヒンジで繋がれ、内部に密封性保持部およびロック性能を保有したプラスチック製キャップを装着したことを特徴とする飲料ボトル用落下防止付きワンタッチ開閉キャップ。
【発明の詳細な説明】
【技術分野】
【０００１】  本発明は、飲料用ボトルに、簡単で、安全で、衛生的で、ワンタッチで、キャップの開閉ができる、飲料ボトル用落下防止付きワンタッチ開閉キャップに関するものである。
【背景技術】
【０００２】  従来、飲料用のボトルのキャップには、ネジ回転式の蓋があった。
また、スチール缶、アルミ缶には、タブ式の蓋があった。
【発明の概要】
【発明が解決しようとする課題】
【０００３】  そのために、次のような問題点があった。
（イ）ネジ回転式キャップの場合、片手での開閉が困難であり、荷物を手にしている場合    等、不便であった。
また、キャップを落としたり紛失したりすることも多かった。
（ロ）ペットボトル用ネジ回転式キャップの場合、下部約５ｍｍ巾のゴミ分別が容易では    なかった。
（ハ）スチール缶、アルミ缶のネジ回転式キャップは、端口が鋭利なため、ケガ等の危険    性があった。
（ニ）タブ式蓋の場合、回栓時にタブを起こす際に、爪を痛める危険性があった。
（ホ）タブ式蓋の場合、一度回栓したら飲み口が開放のままであり、こぼしたり、ゴミ混    入したり不衛生であった。
本発明は、これらの問題点を解決されるためになされたものである。
【課題を解決するための手段】
【０００４】  飲料用ボトル本体の円筒形飲み口部外周に凸部を数段設ける。
そこに固定部と開栓部をヒンジで繋がれ、内部に密封性保持部およびロック性能を保有したプラスチック製キャップを装着する。
以上のように構成された飲料ボトル用落下防止付きワンタッチ開閉キャップ。
【発明の効果】
【０００５】（イ）片手でキャップの開閉が容易にできる。
（ロ）キャップはボトル本体への固定部と開栓部がヒンジで繋がっているため、落とした    りすることがなくなる。
（ハ）キャップの開閉が容易にできながらも、開栓時の密封性は十分に確保されるため、    こぼすことがない。
（ニ）飲み口がキャップで被われるため、衛生的である。
（ホ）使用済キャップは固定部に設けた切り欠き部より簡単に切り裂かれボトル本体と簡    単、完全に分別できる。
（ヘ）プラスチック製のため、鋭利な部分等なく、安全である。
【図面の簡単な説明】
【０００６】
【図１】  本発明のキャップの平面図である。
【図２】  本発明のキャップの正面図である。
【図３】  本発明のキャップの背面図である。
【図４】  本発明の図１のＡ−Ａ断面図である。
【図５】  本発明の図１のＢ−Ｂ断面図である。
【図６】  本発明のキャップの底面図である。
【図７】  本発明のボトル本体のキャップ取付部の説明図である。
【図８】  本発明のキャップ装着開栓状態を示した説明図である。
【図９】  本発明のキャップをボトルより分別した状態を示した説明図である。
【図１０】  本発明のボトル本体にキャップを装着時の図１のＡ−Ａ断面と同方向の断面状態を示した説明図である。
【図１１】  本発明のボトル本体にキャップを装着時の図１のＢ−Ｂ断面と同方向の断面状態を示した説明図である。
【発明を実施するための形態】
【０００７】  以下、本発明の実施の形態について説明する。
飲料用ボトル飲み口部を円筒形にし、その最上部にと凸部を、また、その下部の外周に数段の凸部を設ける。
それに嵌合するヒンジ付きキャップを装着することにより、キャップを落とすこともなく、片手でも簡単に、キャップを開閉して、栓をすることができる。
なおかつ、使用済み後は、本体とキャップを簡単、完全に分別処理できることを特徴とする飲料ボトル用落下防止付きワンタッチ開閉キャップである。
飲料用ボトルの飲み口部に、それに嵌合する型に発明されたキャップを装着する。
そのキャップは固定部と開栓部で構成されているが未開栓時は薄肉部で繋がれており安全が確認できる。
なおかつキャップはヒンジで繋がれており、開栓時にキャップを失くすこともなく簡単に再開栓でき、内容物をこぼすこともなく衛生的である。
キャップはプラスチック製とし、鋭利部もなく安全であり、使用済後は簡単に分別処理できる。
【実施例】
【０００８】  本発明の実施例を説明する。
（イ）ボトル本体に内容物充填後、一体成形されたキャップを圧入装着する。
圧入時は、キャップ開閉部本体（１）、キャップ装着用補助凸部（３）、ロック部    補強厚肉部（５）を利用すると無理なく装着できる。
装着後は、図（１０）、図（１１）の状態になり、未開栓確認用薄肉部（６）にて    、未開栓の確認ができる。
（ロ）片手でボトルを保持または固定しながら、その手の親指等でキャップ開栓用凸部（    ２）を押し上げて開栓する。
（ハ）閉栓する場合は、キャップ開閉部本体（１）をボトル飲み口部に上から被せ軽く押    さえるだけで閉栓完了できる。
（ニ）開栓時のキャップはヒンジ（４）をもって、キャップ開閉部本体（１）、キャップ    固定部本体（７）が繋がれているため、落としたり紛失したりすることがない。
（ホ）閉栓時は、密着用凸部（１５）と密着用突起部（１０）および密着用凹部（１１）    がまた密着およびロック補助凹部（１２）と密着およびロック補助凸部（１６）が密    着し密封精度が維持されロック用凹部（１３）とロック用凸部（１７）およびロック    用凹部（２１）とロック用凸部（１７）をもってロック固定される。
（ヘ）密着性をより確実にするためギャップ調整部（２０）のギャップを確保しておく。
（ト）さらに必要に応じて、密着およびロック補助凸部（１６）同様の凸部を一段増設す    ることにより、その密封精度とロック性能が強化される。
（チ）より高度な密封精度が要求される場合は、密着用凹部（１１）に安全基準を満足し    たシリコーンゴム等を施すことで解決できる。
（リ）ボトル使用中のキャップ固定部（７）はボトル本体のロック用凸部（１７）および    落下防止凸部（１８）がストッパーとなり抜け落ちない。
（ヌ）使用済後のキャップは開栓し、ヒンジ（４）部を強く引張ると切り欠き部（１４）    より切り裂かれて、図９の如く分離され、ボトル本体と完全に分別処理できる。
【符号の説明】
【０００９】１  キャップ開閉部本体
２  キャップ開栓用凸部
３  キャップ装着用補助凸部
４  ヒンジ
５  ロック部補強厚肉部
６  未開栓確認用薄肉部
７  キャップ固定部本体
８  開口部
９  開口部
１０  密着用突起部
１１  密着用凹部
１２  密着およびロック補助凹部
１３  ロック用凹部
１４  切り欠き部
１５  密着用凸部
１６  密着およびロック補助凸部
１７  ロック用凸部
１８  落下防止凸部
１９  ボトル本体
２０  ギャップ調整部
２１  ロック用凹部
【図１】
2011057284.tif 000003
【図２】
2011057284.tif 000004
【図３】
2011057284.tif 000005
【図４】
2011057284.tif 000006
【図５】
2011057284.tif 000007
【図６】
2011057284.tif 000008
【図７】
2011057284.tif 000009
【図８】
2011057284.tif 000010
【図９】
2011057284.tif 000011
【図１０】
2011057284.tif 000012
【図１１】
2011057284.tif 000013